【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
デジタルの音声チャネルで転送され、受信された合成デジタルデータトーンを復調された信号に復調すべく、無線電気通信ネットワークのデジタル音声チャネルで音声セッション接続を確立するように構成された送受信回路と、
前記復調された信号についての一組の測定を実行し、該一組の測定を含む第１の特徴ベクトルを生成するように構成された特徴ベクトル抽出モジュールと、
前記第１の特徴ベクトルを分析し、該第１の特徴ベクトルに基づいて第１の推定ビットシーケンスを生成するように構成されたビットシーケンス推定モジュールとを含み、
該ビットシーケンス推定モジュールはタイムダイバーシティ結合コンポーネントから成り、該タイムダイバーシティ結合コンポーネントは、
前記生成された第１の推定ビットシーケンスがプリセット標準に基づいたオリジナルのビットシーケンスのセグメントを表す表現を満たすものであるか否かを判定し、前記生成された第１の推定ビットシーケンスが前記プリセット標準に基づく前記セグメントを表す表現を満たすものではないとき、前記オリジナルのビットシーケンスの同じセグメントに相当し、また、前記プリセット標準に基づく該セグメントの不満足な表現を生成する記憶された第２の特徴ベクトルであって先に復調された信号の測定の一組を含む第２の特徴ベクトルを識別し、
前記第２の特徴ベクトルの第N番目のサブ値と共に、前記第１の特徴ベクトルの第N番目のサブ値を合計又は平均し、
前記識別され記憶された第２の特徴ベクトルとの組合せで前記第１の特徴ベクトルを分析することにより、前記合計値又は平均値に等しいN番目のサブ値を有する第３の特徴ベクトルを生成し、
該第３の特徴ベクトルに基づいた第２の推定ビットシーケンスを生成し、
前記第２の推定ビットシーケンスの中の誤りをチェックするように、構成された装置。
【請求項２】
前記各特徴ベクトルは、フーリエ振幅のシーケンスまたは相互相関値のシーケンスから成る、請求項１に記載の装置。
【請求項３】
さらに前記第１および前記第２の推定ビットシーケンス中の誤りをチェックすべく構成された誤り検出モジュールを含む、請求項１に記載の装置。
【請求項４】
前記ビットシーケンス推定モジュールは、選択された順方向誤り修正方法を実施するように構成された誤り訂正コンポーネントを含む、請求項１に記載の装置。
【請求項５】
前記選択された順方向誤り修正方法は、BCH、リードソロモン、又は畳み込み誤り訂正を含む、請求項４に記載の装置。
【請求項６】
さらに、CRC誤りチェックアルゴリズムを実行すべく構成された誤り検出モジュールを含む、請求項１に記載の装置。
【請求項７】
前記デジタルの音声チャネルで転送され、受信された合成デジタルデータトーンは、前記記憶された第２の特徴ベクトルに対応する先に受信された合成データトーンの再送である、請求項１に記載の装置。
【請求項８】
前記タイムダイバーシティ結合コンポーネントは、さらに、
前記第１及び第２の特徴ベクトルの組合せで記憶された付加特徴ベクトルを選択し、
前記第１の特徴ベクトルの第N番目のサブ値、第２の特徴ベクトルの第N番目のサブ値及び付加特徴ベクトルの第N番目のサブ値を合計又は平均し、
前記第１の特徴ベクトル、第２の特徴ベクトル及び付加特徴ベクトルの組合せに基づいて付加の推定ビットシーケンスを生成し、
該付加の推定ビットシーケンスの中の誤りをチェックするように構成されている、請求項１に記載の装置。
【請求項９】
無線電気通信ネットワークのデジタルの音声チャネルで音声セッション接続を確立すること、
前記デジタルの音声チャネルで転送された合成デジタルデータトーンを受信し、該合成デジタルデータトーンを復調信号に復調すること、
前記復調信号に一組の測定を実行し、該測定の組から成る第１の特徴ベクトルを生成すること、
該第１の特徴ベクトルに基づいて第１の推定ビットシーケンスを生成すること、
前記合成デジタルデータトーンによって表されるオリジナルのビットシーケンスのセグメントを推定するためのしきい値の精度に前記第１の推定ビットシーケンスが適合するか否かを判定すること、
前記しきい値の正度に前記第１の推定ビットシーケンスが適合しないと、メモリーモジュール内に記憶され、先の復調信号の測定の組を含み、前記第１の特徴ベクトルと同じオリジナルのビットシーケンスのセグメントに相当する第２の特徴ベクトルであって、該オリジナルのビットシーケンスを推定するためのしきい値の正度に適合しない第２の異なるビットシーケンスを生成する第２の特徴ベクトルを選択すること、
前記第２の特徴ベクトルのN番目のサブ値と前記第１の特徴ベクトルのN番目のサブ値とを合計又は平均すること、
前記第１の特徴ベクトルと前記第２の特徴ベクトルとからの情報に基づき、前記合計または平均に等しいＮ番目のサブ値を有する第３の特徴ベクトルを生成すること、
前記第３の特徴ベクトルに基づいた第３の推定ビットシーケンスを生成すること、
前記第３の推定ビットシーケンスの範囲内で誤りをチェックすることを含む、方法。
【請求項１０】
前記第１及び第２の特徴ベクトルとの組み合わせのために、前記メモリーモジュールに記憶された付加特徴ベクトルを選択すること、
前記第１の特徴ベクトル、前記第２の特徴ベクトル及び前記付加特徴ベクトルの組合せに基づいて付加推定ビットシーケンスを生成すること、
付加推定ビットシーケンスの範囲内で誤りをチェックすることをさらに含む、請求項９記載の方法。
【請求項１１】
前記第２の特徴ベクトルの選択は、前記第２の特徴ベクトルが第１の特徴ベクトルと同じ前記オリジナルビットシーケンスのセグメントに相当するか否かを判定することを含む、請求項９に記載の方法。
【請求項１２】
前記オリジナルビットシーケンスを推定するためのしきい値の精度に前記第３の推定ビットシーケンスが適合すると、第２の特徴ベクトルをメモリーモジュールから削除することをさらに含む、請求項９に記載の方法。
【請求項１３】
前記合成デジタルデータトーンはFSK変調方式又はPSK変調方式を用いて送信される、請求項９に記載の方法。
【請求項１４】
各特徴ベクトルのサブ値はフーリエ振幅のシーケンス又は相互相関値のシーケンスを含む、請求項９に記載の方法。
【請求項１５】
前記合成デジタルデータトーンは約200ヘルツから約3500ヘルツの範囲の周波数を有する、請求項９に記載の方法。
【請求項１６】
前記合成データデジタルトーンは約100ビット/秒から約500ビット/秒の範囲内のボーレートによって送信される、請求項９に記載の方法。
【請求項１７】
無線電気通信ネットワークのデジタルの音声チャネルで音声セッション接続を確立すること、
前記デジタルの音声チャネルで転送された合成デジタルデータトーンを受信し、該合成デジタルデータトーンを復調信号に復調すること、
前記復調信号に一組の測定を実行し、該測定の組から成る第１の特徴ベクトルを生成すること、
前記第１の特徴ベクトルに基づいて第１の推定ビットシーケンスを生成すること、
前記合成デジタルデータトーンによって表されるオリジナルのビットシーケンスのセグメントを推定するためのしきい値の精度に前記第１の推定ビットシーケンスが適合するか否かを判定すること、
前記しきい値の正度に前記第１の推定ビットシーケンスが適合しないと、メモリーモジュール内に記憶され、先の復調信号を含み、前記第１の特徴ベクトルと同じセグメントに相当する第２の特徴ベクトルであって、該オリジナルのビットシーケンスを推定するためのしきい値の正度に適合しない前記第２の異なるビットシーケンスを生成する第２の特徴ベクトルを選択すること、
前記第２の特徴ベクトルのN番目のサブ値と前記第１の特徴ベクトルのN番目のサブ値とを合計又は平均すること、
前記合計又は平均と等しいN番目のサブ値を有し、前記第１の特徴ベクトルと前記第２の特徴ベクトルとからの情報に基づく第３の特徴ベクトルを生成すること、
前記第３の特徴ベクトルに基づく第３の推定ビットシーケンスを発生すること、
前記第３の推定ビットシーケンスの範囲内で誤りをチェックすることを含む方法をデバイスに実行させるための機械読取り可能命令を含む、機械読取り可能媒体。
【請求項１８】
前記方法は、
前記第１及び第２の特徴ベクトルと組み合わせるために、前記メモリーモジュールに記憶された付加特徴ベクトルを選択すること、
前記第１の特徴ベクトル、前記第２の特徴ベクトル及び付加ベクトルの組合せに基づく付加推定ビットシーケンスを生成すること、
付加推定ビットシーケンスの範囲内で誤りをチェックすることをさらに含む、請求項１７に記載の機械読取り可能媒体。
【請求項１９】
前記第２の特徴ベクトルが前記第１の特徴ベクトルと同じオリジナルビットシーケンスのセグメントに相当するか否かを判定することを含む前記第２の特徴ベクトルを選択する、請求項１７に記載の機械読取り可能媒体。
【請求項２０】
無線電気通信ネットワークのデジタル音声チャネルによって音声セッション接続を確立すること、
前記デジタル音声チャネルで転送された合成デジタルデータトーンを受信し、前記合成デジタルデータトーンを復調信号に復調すること、
前記復調信号に一組の測定を実行し、該一組の測定を含む第１の特徴ベクトルを生成すること、
前記第１の特徴ベクトルに基づいて第１の推定ビットストリームを生成すること、
前記合成デジタルデータトーンによって表されるオリジナルのビットシーケンスのセグメントを推定するためのしきい値の精度に第１の推定ビットストリームシーケンスが適合するか否かを判定すること、
前記しきい値の正度に前記第１の推定ビットシーケンスが適合しないと、メモリーモジュール内に記憶され、先の復調信号を含み、前記第１の特徴ベクトルと同じオリジナルのビットシーケンスのセグメントに相当する第２の特徴ベクトルであって、該オリジナルのビットシーケンスを推定するためのしきい値の正度に適合しない第２の異なるビットシーケンスを生成する第２の特徴ベクトルを選択すること、
第２の特徴ベクトルの第N番目のサブ値と共に前記第１の特徴ベクトルの第N番目のサブ値とを合計すること、又は平均すること、
前記合計又は平均と等しい第N番目サブ値を有し、前記第１の特徴ベクトルと前記第２の特徴ベクトルに基づく第３の特徴ベクトルを生成すること、
前記第３の特徴ベクトルに基づく第３の推定ビットシーケンスを発生すること、
前記第３の推定ビットシーケンスの範囲内で誤りをチェックすること、を含む方法。
【請求項２１】
前記第N番目サブ値がソフト値又は相互相関値である、請求項２０に記載の方法。
【請求項２２】
前記第N番目サブ値が異なる振幅を有する、請求項２０に記載の方法。
【請求項２３】
前記第N番目サブ値が同じ振幅を有する、請求項２０に記載の方法。
【手続補正２】
【補正対象書類名】明細書
【補正対象項目名】００２５
【補正方法】変更
【補正の内容】
【００２５】
例えば、図２に例示するように２値のＦＳＫ変調方式を実行する具体例では、特徴ベクトルはフーリエ振幅のシーケンスから成る。ビット間隔毎（例えば４００ビット／秒のボーレートで２．５ミリ秒）で、特徴抽出モジュール３１０は、周波数ｆ１およびｆ０のそれぞれのために、フーリェ振幅を計算する。これらの２つの振幅は、Ｓ（ｆ１）およびＳ（ｆ０）として、それぞれ示される。次に、量Ｓ（ｆ１）−Ｓ（ｆ０）が、Ｘｉとして、ｉ番目のビットインタバルについての「ソフト値（soft value）」として記録される。N個のソフト値のシーケンス（Ｘ１、Ｘ２、Ｘ３…ＸＮ）は、Nビットデータシーケンスの特徴ベクトルを表している。